(57)【特許請求の範囲】
【請求項１】
外筐内に横姿勢又は斜め横姿勢に支持された洗濯槽と、該洗濯槽の内部で同軸上にて回転する回転ドラムとを備え、該回転ドラムの内部の洗濯物を、洗濯及び脱水すると共に、前記回転ドラム内に導入される乾燥風と接触させて乾燥せしめるように構成された洗濯乾燥機において、
前記洗濯槽の底部に一体形成され、前記回転ドラム内に乾燥風を導入する導入ダクト、及び前記洗濯槽の底面下部に開口する導出口に連通し、該導出口を経て前記回転ドラム内の乾燥風を導出する導出ダクトを備えることを特徴とする洗濯乾燥機。
【請求項２】
前記洗濯槽の内部に乾燥風に接触して冷却する冷却部を備える請求項１に記載の洗濯乾燥機。
【請求項３】
前記導入ダクトは、前記回転ドラムの底面に形成された導入口に連通しており、該導入口を囲うように前記回転ドラムに取り付けられた封止部材に当接、又は近接するシール部材により封止してある請求項１又は請求項２に記載の洗濯乾燥機。
【請求項４】
前記導入口は、前記回転ドラムの支持部を中心とし、該支持部から離れて設定された円周上に複数並設してある請求項３に記載の洗濯乾燥機。
【発明の詳細な説明】
【技術分野】
【０００１】
本発明は、横姿勢又は斜め横姿勢に支持された洗濯槽の内部にて回転する回転ドラムを備える洗濯乾燥機に関する。
【背景技術】
【０００２】
近年広く普及しているドラム式の洗濯乾燥機は、有底円筒形の洗濯槽を、一側の開口部を横向きとした横姿勢、又は斜め上向きとした斜め横姿勢にて外筐内に支持し、この洗濯槽の内部に、同軸上での回転自在に有底円筒形の回転ドラムを収容して構成されている（例えば、特許文献１、２参照）。
【０００３】
回転ドラムは、洗濯槽の開口部と同側に開口する投入口を有しており、洗濯槽の外部底面に固定したドラムモータにより回転駆動される。洗濯物は、投入口を経て回転ドラムの内部に投入され、洗濯槽及び回転ドラムの底部に溜まる洗濯水中に浸され、回転ドラムの回転による持ち上げ及び落下を繰り返し、落下時に回転ドラムの周面に叩きつけられて洗濯される。
【０００４】
洗濯を終えた洗濯物は、残留水分の多くを脱水された後、回転ドラムの内部に導入される乾燥風と接触することにより乾燥せしめられる。乾燥風は、高温低湿の状態で回転ドラム内に導入され、接触する洗濯物の水分を奪って乾燥風路に導出される。乾燥風路は、洗濯槽及び回転ドラムの内部を臨むように設けられた導入口及び導出口を連絡しており、該乾燥風路の途中には、乾燥風を送風するための送風ファンが設けられ、該送風ファンの上流側に冷却部及びフィルタが、同じく下流側に加熱部が夫々設けてある。
【０００５】
回転ドラムから導出される乾燥風は、冷却部を通過する際に冷却されて含有水分を凝縮除去され、加熱部を通過する際に加熱されて高温低湿の状態となり、導入口を経て回転ドラム内に戻るように循環する。回転ドラム内の洗濯物は、このように循環する乾燥風との接触を繰り返すことにより乾燥せしめられる。前記フィルタは、導出口から導出される乾燥風中に含まれる糸屑等の異物を捕捉、除去するために設けてある。
【０００６】
特許文献１の洗濯乾燥機において、導出口は、洗濯槽の底面下部に開設され、導入口は、洗濯槽の一側開口の上部周縁に回転ドラムの内部を臨むように開設されている。特許文献２の洗濯乾燥機においては、更に、回転ドラム内に導入される乾燥風を洗濯物に偏りなく接触させることで乾燥効率を高め、短時間で良好に洗濯物を乾燥させることを目的として、回転ドラム底面に複数の導入口を開設し、各導入口から乾燥風が導入されるようにしてある。
【先行技術文献】
【特許文献】
【０００７】
【特許文献１】特開平８−２４３２９０号公報
【特許文献２】特許第４４４４１９７号公報
【発明の概要】
【発明が解決しようとする課題】
【０００８】
以上の如く構成された洗濯乾燥機において、乾燥風を送風する送風ファンは、下流側の加熱部（ヒータ）及び上流側のフィルタと共にユニット化し、回転ドラムの回転に伴う洗濯槽の振動が伝わらないように、洗濯槽の上部に位置して外筐の内部に固定してある。乾燥風路は、以上の如き送風ファンの吸込側を前述した導出口に、同じく送風ファンの吐出側を前述した導入口に、各別の通風ダクトにより接続して構成されている。
【０００９】
しかしながら、このような乾燥風路を備える従来の洗濯乾燥機においては、導出口及び導入口とファンユニットとを接続する通風ダクトの配置スペースを洗濯槽の外側に確保する必要がある。特に、洗濯槽の底面下部に開設される導出口は、洗濯槽の上側に配置される送風ファンと離れて位置することから、両者を接続する通風ダクトが長寸となり、該通風ダクトの配置スペースの確保が洗濯乾燥機の小型化を阻害する一因となっている。
【００１０】
また長寸の通風ダクトは、その取り回しに手間を要し、組立て工数の増加を招くという問題がある上、洗濯乾燥機の運転中の振動の伝播により、ファンユニット等との接続部の封止が損なわれ、乾燥風の漏れ出しが生じて乾燥性能の経時的な低下が生じるという問題もあった。
【００１１】
本発明は斯かる事情に鑑みてなされたものであり、乾燥風が循環する乾燥風路を長寸の通風ダクトを必要とせずに構成し、小型化、組立て工数の削減、乾燥性能の低下等の問題を解消可能な洗濯乾燥機を提供することを目的とする。
【課題を解決するための手段】
【００１２】
本発明に係る洗濯乾燥機は、外筐内に横姿勢又は斜め横姿勢に支持された洗濯槽と、該洗濯槽の内部で同軸上にて回転する回転ドラムとを備え、該回転ドラムの内部の洗濯物を、洗濯及び脱水すると共に、前記回転ドラム内に導入される乾燥風と接触させて乾燥せしめるように構成された洗濯乾燥機において、前記洗濯槽の底部に一体形成され、前記回転ドラム内に乾燥風を導入する導入ダクト、及び前記洗濯槽の底面下部に開口する導出口に連通し、該導出口を経て前記回転ドラム内の乾燥風を導出する導出ダクトを備えることを特徴とする。
【００１３】
本発明においては、洗濯槽の底部に導入ダクト及び導出ダクトを一体形成し、これらを洗濯槽の上部に固定支持されたファンユニットに接続し、長寸の送風ダクトを使用することなく乾燥風路を構成する。
【００１４】
また本発明に係る洗濯乾燥機は、前記洗濯槽の内部に乾燥風に接触して冷却する冷却部を備えることを特徴とする。
【００１５】
この発明においては、乾燥風の冷却部を洗濯槽内に設け、含有水分を凝縮除去された乾燥風を導出ダクトに送り出す。導出ダクト内に冷却部を設ける必要がなく、洗濯槽との一体化を容易に実現することができる。
【００１６】
また本発明に係る洗濯乾燥機は、前記導入ダクトが、前記回転ドラムの底面に形成された導入口に連通しており、該導入口を囲うように前記回転ドラムに取り付けられた封止部材に当接、又は近接するシール部材により封止してあることを特徴とする。
【００１７】
この発明においては、導入ダクト内の乾燥風を、底面中央に設けた導入口から回転ドラム内に導入し、該回転ドラム内の洗濯物に確実に当てて乾燥効果を高める。洗濯槽と一体の導入ダクトと回転ドラムとの間は、シール部材により封止する。回転ドラムに加わる回転負荷を小さく抑える。シール部材は、回転ドラムに取り付けた別体の封止板に当接、又は近接させ、該封止板の位置調節により確実な封止を実現する。シール部材としては、封止板に当接し、高いシール性能が得られる接触式のシール部材を用いるのが望ましく、オイルシールを用いることにより、封止部材との接触により回転ドラムに加わる回転負荷を小さく抑えることができる。
【００１８】
また本発明に係る洗濯乾燥機は、前記導入口が、前記回転ドラムの支持部を中心とし、該支持部から離れて設定された円周上に複数並設してあることを特徴とする。
【００１９】
この発明において、導入ダクト内の乾燥風は、回転ドラムの中心から離れた位置に開口する複数の導入口を経て回転ドラム内に導入される。夫々の導入口から導入される乾燥風は、回転ドラム内に良好に拡散し、外回転ドラム内の洗濯物に確実に当たり、良好な乾燥性能が得られる。
【発明の効果】
【００２０】
本発明に係る洗濯乾燥機においては、洗濯槽と一体形成した導入ダクト及び導出ダクトにより、長寸の送風ダクトを使用することなく乾燥風路を形成したから、小型化及び組立て工数の削減を達成し、また乾燥風の漏れ出しによる乾燥性能の経時的な低下を未然に防止することができる等、本発明は優れた効果を奏する。
【図面の簡単な説明】
【００２１】
【図１】実施の形態に係る洗濯乾燥機の外観を略示する斜視図である。
【図２】実施の形態に係る洗濯乾燥機の内部構成を略示する縦断面図である。
【図３】導出ダクト及び導入ダクトの形成態様を示す洗濯槽の斜視図である。
【図４】ドラムモータの支持部近傍の拡大断面図である。
【図５】冷却板による冷却作用の説明図である。
【発明を実施するための形態】
【００２２】
以下本発明をその実施の形態を示す図面に基づいて詳述する。図１は、実施の形態に係る洗濯乾燥機の外観を略示する斜視図、図２は、実施の形態に係る洗濯乾燥機の内部構成を略示する縦断面図である。
【００２３】
図２に示すように洗濯乾燥機は、外装を構成する外筐１の内部に洗濯槽２及び回転ドラム３を備えている。洗濯槽２は、一側に開口２０を備える大径の有底円筒体であり、外筐１の底面に立設された複数本の支持脚２１（１本のみ図示）により、開口２０の側を上向きとし、水平面に対して軸心を傾けた傾斜姿勢を保って弾性支持されている。
【００２４】
外筐１の前面（図２の左側面）には、洗濯槽２の開口２０を臨む位置に、蓋体１０により開閉自在に洗濯物の投入口１１が開設され、この投入口１１と洗濯槽２の開口２０との間は、ベローズ１２により液密に封止されている。図１に示すように、外筐１の前面には、蓋体１０の近傍にドア開ボタン１３が設けてある。蓋体１０は、ドア開ボタン１３の操作により開放される。
【００２５】
回転ドラム３は、洗濯槽２よりもやや小径の有底円筒体であり、一側の開口３０を洗濯槽２の開口２０の内側に臨ませ、洗濯槽２の底部中央に固設されたドラムモータ４の出力軸４０の端部に連結してあり、該ドラムモータ４の駆動により、洗濯槽２の内部で同軸上にて回転するようになしてある。
【００２６】
図２に示すように回転ドラム３の周壁には、多数の小孔３２が全面に亘って貫通形成されており、また回転ドラム３の内面には、軸長方向に延びるバッフル３３が周方向に等配をなして複数突設されている。なお図２中には、図面の煩雑化を避けるべく、小孔３２の一部と一つのバッフル３３のみを図示してある。
【００２７】
以上の如く構成された洗濯乾燥機の洗濯運転は、蓋体１０を開放し、投入口１１の内側に位置する開口２０，３０を経て回転ドラム３内に洗濯物を投入し、前記蓋体１０を閉止した後、後述するように洗濯槽２の内部に給水し、ドラムモータ４を駆動して回転ドラム３を回転せしめて実施される。前述したように回転ドラム３は、多数の小孔３２と複数のバッフル３３とを備えており、回転ドラム３の内部の洗濯物は、小孔３２を経て流入する洗濯水中に浸され、バッフル３３の作用による持ち上げ及び落下を繰り返し、落下時に回転ドラム３の内面に叩きつけられて洗濯される。
【００２８】
図１に示すように、外筐１の前面上部には、各種の操作のための操作キー及び各種の表示のための表示部を備える操作パネル１５が設けてある。該操作パネル１５は、これの内側に位置して外筐１の内部に設けた運転制御部１６（図２参照）に接続してあり、以上の如き洗濯運転、及び後述する乾燥運転、更には、これらの間に実施される脱水運転は、操作パネル１５の操作に応じた運転制御部１６の動作により、一連の処理、又は個々に独立した処理として実行される。
【００２９】
図１に示すように外筐１の後部上面には、水道等の給水源への接続端となる給水口５０が設けてある。図２に示すように給水口５０は、外筐１の内側に設けた給水弁５１に接続してある。給水弁５１は、複数の給水出口を有する多連形の電磁弁である。
【００３０】
給水弁５１の第１給水出口は、給水管５２を介して洗濯槽２の上部周面に接続されており、給水弁５１が第１給水出口に切り換えられた場合、給水口５０への給水は、給水管５２を経て洗濯槽２の内部に送り込まれ、前述した洗濯運転に使用される。なお給水管５２の中途には、公知のように洗剤ケースを配置し、給水と共に適量の洗剤が導入されるように構成することができる。
【００３１】
一方、給水弁５１の第２給水出口は、冷却水管５３を介して、洗濯槽２の前下部に連結してある。洗濯槽２には、下部周面に軸長方向に延びる凹溝２２が形成され、該凹溝２２の上部を覆うように冷却板２３が架設してある。給水弁５１が第２給水出口に切り換えられた場合、給水口５０への給水は、冷却水管５３を通って冷却板２３の前上部に送り込まれる。冷却板２３は、洗濯槽２の傾斜に沿って後部を下として傾斜しており、冷却水管５３から送り込まれる水は、冷却板２３の上表面に沿って後方に流れる。このように流れる水は、後述するように循環する乾燥風を冷却する冷却水として使用される。
【００３２】
凹溝２２の後部には、導水管２４が接続されている。該導水管２４は、外筐１内側の前下部に固定支持された筒形のフィルタケース２５に接続されている。フィルタケース２５の内部には、繊維屑等の異物を捕捉するリントフィルタが収容されている。フィルタケース２５の下部は、排水弁２６を介して外筐１の底面に沿って敷設された排水管２７に接続されている。フィルタケース２５の後端部には、循環ポンプ２８が付設してあり、該循環ポンプ２８の吐出側は、戻し管２９を介して洗濯槽２の前側上部に連通されている。
【００３３】
洗濯槽２内に給水される洗濯水は、導水管２４を経てフィルタケース２５に導入され、該フィルタケース２５の内部に充満する。フィルタケース２５の内部の洗濯水は、循環ポンプ２８を駆動することにより、該循環ポンプ２８に吸い込まれて加圧され、戻し管２９を経て洗濯槽２の上部に送られ、該戻し管２９の先端から、シャワー状に拡がって回転ドラム３の内部に給水される。
【００３４】
循環ポンプ２８は、前述した洗濯運転中に連続的に、又は間欠的に駆動される。この駆動により回転ドラム３内の洗濯物には、戻し管２９からの給水が降り注ぎ、洗濯効果を高めることができる。フィルタケース２５の内部に設けたリントフィルタは、循環する洗濯水中に含まれる繊維屑等の異物を捕捉して、除去する作用をなす。
【００３５】
フィルタケース２５の下部に設けられた排水弁２６は、洗濯運転の後に開放される。この開放により洗濯槽２内部の洗濯水は、導水管２４及びフィルタケース２５を経て排水管２７に排水される。この排水に際しても、洗濯水中に含まれる異物は、フィルタケース２５内のリントフィルタに捕捉、除去され、排水管２７を経て下水管に排出される虞れがない。
【００３６】
洗濯乾燥機の乾燥運転は、以上の洗濯運転の後、脱水運転を経て実施される。この乾燥運転においては、ドラムモータ４の駆動により回転ドラム３を回転させると共に、該回転ドラム３の内部に乾燥風が循環せしめられる。本発明の特徴は、乾燥風を循環させる乾燥風路の構成にあり、該乾燥風路は、洗濯槽２の底面に沿って、該洗濯槽２と一体形成された導出ダクト６０及び導入ダクト６１を備えている。
【００３７】
図３は、導出ダクト及び導入ダクトの形成態様を示す洗濯槽の斜視図である。本図は、洗濯槽２の周壁の一部を破断し、前方から見た状態を略示しており、図の上下は、図２の上下に対応している。なお、実際の洗濯槽２の外面には、強度確保のための多数のリブが設けてあるが、図３においては、これらのリブの図示を省略してある。
【００３８】
図３に示すように、洗濯槽２の底面には、後方に向けて凹ませた２つの凹所６２、６３が設けてあり、導出ダクト６０及び導入ダクト６１は、これらの凹所６２、６３の開口部を各別の蓋板６２ａ、６３ａにより覆い、洗濯槽２の底部に一体形成されている。
【００３９】
図３中には、洗濯槽２の下部周面に前述の如く形成された凹溝２２、及び該凹溝２２の上部の架設した冷却板２３も図示されている。一方の凹所６２は、冷却板２３の後端部を中央とし、底板の外周部に沿って周方向に適宜の長さを有して延び、一側端部で斜め上方に立ち上がるように設けられており、その上端は、洗濯槽２の上部周面に上向きに突設された導出管６４に連通されている。
【００４０】
以上のような凹所６２を覆う蓋板６２ａには、冷却板２３の後端部に対応する位置に切欠き部６５が設けてあり、該切欠き部６６は、導出ダクト６０を洗濯槽２の内部に連通する導出口６６を形成している（図２参照）。
【００４１】
他方の凹所６３は、洗濯槽２の底板の中心に設けた円形部の外周の一箇所に連続し、斜め上方に立ち上がる直線部とを備えている。直線凹部の上端は、洗濯槽２の上部周面に上向きに突設された導入管６７に連通されている。凹所６３の円形部の中心位置には、後述のようにドラムモータ４の出力軸４０を支持するための支持筒６８が設けられている。
【００４２】
以上のような凹所６３を覆う蓋板６３ａには、凹所６３と対応する円形部及び直線部を有しており、円形部の中心位置には、凹所６３の側に向けて円環状をなすシール環７０が突設されている。
【００４３】
図４は、ドラムモータの支持部近傍の拡大断面図である。図中に一部を示すドラムモータ４の出力軸４０は、前述したように設けられた支持筒６８の内部に軸受４１により回転自在に支持されており、洗濯槽２の内側に向けて突出する出力軸４０の端部は、連結ブラケット４２を介して回転ドラム３の底面に固定されている。
【００４４】
連結ブラケット４２と回転ドラム３との間には、薄肉の封止板７１が挾持固定されている。封止板７１の外周部には、凹所６３を覆う蓋板６３ａに前述の如く設けられたシール環７０の内側に対向する鍔部が周設されており、該鍔部の外面には、シール環７０に内嵌固定されたオイルシール７が当接されている。
【００４５】
回転ドラム３の底面には、回転ドラム３の回転軸である出力軸４０を中心とし、連結ブラケット４２の固定部よりも外側、即ち、出力軸４０から十分に離れて設定された円周上に並ぶように、複数の導入口３４が開設してあり、これらは、封止板７０の対応位置に設けられた連通穴７２を介して導入ダクト６１に連通している。
【００４６】
図２に示すように、洗濯槽２の上部には、乾燥風を起風する送風ファン８０、塵埃捕捉用のフィルタ８１、及び乾燥風を加熱するＰＴＣ（Positive Temperature Coefficient）ヒータ８２が配設されている。フィルタ８１は、送風ファン８０の吸込側（上流側）に配してあり、ＰＴＣヒータ８２は、送風ファン８０の吐出側（下流側）に配してあり、これらは、相互にユニット化されて外筐１内に固定支持されている。
【００４７】
洗濯槽２の上部に突出する導出管６４の端部は、連結管８３を介して送風ファン８０の吸込側に連結され、同じく導入管６７の端部は、連結管８４を介して送風ファン８０の吐出側に連結されている。なお、連結管８３及び連結管８４は、弾性支持された洗濯槽２に運転中に発生する振動を吸収し、固定支持された送風ファン８０への振動伝播を防止することを目的として蛇腹管とするのが望ましい。
【００４８】
図２において、導出ダクト６０は、ドラムモータ４の奥側に一部が重なった状態で示してある。また導入ダクト６１の上部は、導入管６７と導出管６４との重なりを排除し、これらと送風ファン８０との連結状態を明示するために、洗濯槽２の外面に沿って前方に延長した形態で示してある。
【００４９】
以上のように構成された乾燥風路を備える洗濯乾燥機の乾燥運転は、ドラムモータ４を駆動し、回転ドラム３を低速度で反復回転させる一方、送風ファン８０を駆動し、ＰＴＣヒータ８２を動作させると共に、前記給水弁５１を第２給水出口に切換え、冷却板２３上に冷却水を流すことによりなされる。
【００５０】
送風ファン８０を駆動することにより乾燥風路の内部には、空気（乾燥風）の流れが生じる。この乾燥風は、ＰＴＣヒータ８２により加熱され、連結管８４を経て導入ダクト６１内に送り込まれ、該導入ダクト６１内を洗濯槽２の中央部に向けて流れ、回転ドラム３の底面に形成された導入口３４を経て回転ドラム３内に導入される。導入口３４は、前述したように、回転ドラム３の回転中心から離れて設定された円周上に複数設けてあり、これらの導入口３４から回転ドラム３内に導入される乾燥風は、該回転ドラム３内で良好に分散する。
【００５１】
導入ダクト６１と回転ドラム３との間は、前述したオイルシール７により気密に封止されており、乾燥風は、洗濯槽２内に漏れ出すことなく回転ドラム３内に確実に導入される。オイルシール７は、前述したように封止板７０に当接している。該封止板７０は、回転ドラム３とは別体の部材であり、連結ブラケット４２と回転ドラム３との間に挾持固定されているから、オイルシール７の当接状態は、封止板７０の位置を調節することにより適正化することができ、確実な封止が可能となる。
【００５２】
オイルシール７は、リングばねのばね力により付勢された封止リップの局所的な押し付けにより封止状態が得られる公知のシール部材であり、押し付け対象となる封止板７０に大なる抵抗を加えないから、封止板７０と一体回転する回転ドラム３に大なる回転負荷が作用する虞れがない。オイルシール７と当接する封止板７０は、封止リップの押し付け下での回転による傷つきを抑えるために、高硬度の材料製とするのが望ましい。なお、オイルシール７の代わりに、Ｏリング、Ｘリング等の接触式のシール部材を用いることができる。また、ラビリンスシール等の非接触式のシール部材を用いることも可能である。
【００５３】
以上のように回転ドラム３内に導入される乾燥風は、該回転ドラム３内の洗濯物に当たり、該洗濯物の水分を奪って湿り空気となり、回転ドラム３前部開口３０、及び回転ドラム３の周壁に形成された小孔３２を通って洗濯槽２内に流出し、該洗濯槽２の底面下部に開口する導出口６６を経て導出ダクト６０内に導出される。この間に乾燥風の多くは、洗濯槽２の下部に設けられた冷却板２３上の冷却水と接触して冷却され、含有水分を凝縮除去された乾き空気となる。前述したように、乾燥風は、回転ドラム３内に良好に分散して導入されるから、該回転ドラム３内の洗濯物に分布状態の如何に拘らず確実に当たり、夫々の洗濯物の水分を確実に奪うことができる。
【００５４】
図５は、冷却板２３による冷却作用の説明図である。前述したように取り付けられた冷却板２３は、後側を下として傾斜しており、冷却水管５３からの給水は、冷却板２３の上面に沿って後向きに流れる。冷却板２３には、前後方向に適宜の間隔毎に複数の水溜め部２３ａが形成してあり、冷却板２３上を流れる冷却水は、図５に示すように、夫々の水溜め部２３ａ内に滞留しつつ、矢符に示すように流れる。水溜め部２３ａは、図３中にも図示してある。
【００５５】
一方、回転ドラム３内から洗濯槽２内に流出する乾燥風は、該洗濯槽２の底面下部に開口する導出口６６に向けて、冷却板２３の傾斜に沿って白抜矢符により示すように流れ、この間に各水溜め部２３ａ内に滞留する冷却水と確実に接触して熱交換することができ、含有水分の凝縮除去は良好になされる。このように凝縮除去される水分は、冷却板２３上に落ち、前述の如く流れる冷却水と共に後向きに流れ、後端部に達して凹溝２２内に流れ落ち、導水管２４及びフィルタケース２５を通って排水管２７内に排水される。
【００５６】
乾き空気となった乾燥風は、導出ダクト６０内を上昇し、導出管６４、連結管８３を経てフィルタ８１を通過し、糸屑等の異物を捕捉除去された後に送風ファン８０に吸い込まれる。送風ファン８０は、乾燥風を加圧して吐出し、この乾燥風は、ＰＴＣヒータ８２により加熱されて高温となり、前述したように、導入ダクト６１を経て回転ドラム３の内部に再導入され、回転ドラム３内の洗濯物は。以上の如く循環する乾燥風との接触を繰り返すことで乾燥せしめられる。
【００５７】
以上の如く乾燥風を循環させる乾燥風路は、洗濯槽２と一体形成された導出ダクト６０及び導入ダクト６１を備え、これらを外筐１内に固定支持された送風ファン８０、フィルタ８１及びＰＴＣヒータ８２に連結して構成されており、洗濯槽２の外部の長寸の通風ダクトを備えていないから、この種の通風ダクトを配設するためのスペースを外筐１内に確保する必要がなく、洗濯乾燥機の小型化に寄与することができ、また通風ダクトの取り回しの手間をなくし、組立て工数の削減を図ることができ、更には、通風ダクトの接続部の封止が損なわれる虞れもなく、長期に亘って所定の乾燥性能を維持することができる。
【００５８】
なお以上の実施の形態においては、洗濯槽２及び回転ドラム３が、斜め横姿勢に支持された洗濯乾燥機、所謂、斜めドラム式の洗濯乾燥機について説明したが、本発明は、洗濯槽２及び回転ドラム３が横姿勢に支持された洗濯乾燥機、所謂、横ドラム式の洗濯乾燥機にも適用可能であり、同様の効果が得られる。
【符号の説明】
【００５９】
１    外筐
２    洗濯槽
３    回転ドラム
７    オイルシール
３４  導入口
６０  導出ダクト
６１  導入ダクト
７１  封止板（封止部材）
【図１】
0005306312.tif 000002
【図２】
0005306312.tif 000003
【図３】
0005306312.tif 000004
【図４】
0005306312.tif 000005
【図５】
0005306312.tif 000006